(57)【要約】【課題】配管の自由度を向上させることができ、かつ、配管施工作業の作業性を向上させることができる排水ますを提供することを課題とする。【解決手段】排水管接続口３と点検掃除口４とトラップ接続口５とを有するドロップます２と、該ドロップます２のトラップ接続口５に一端が回転自在に取り付けられる回転トラップ１４とを備えた排水ますにおいて、該ドロップます２には回転脚部６が回転自在に取り付けられており、該回転トラップ１４と該回転脚部６とは一緒に回転するようにされている排水ます１を提供する。該回転トラップ１４の一端の中心軸Ｘは、該回転トラップ１４の回転角度θが大きくなる方向に該トラップ接続口５の中心軸Ｙから偏心した位置に設定されており、該回転トラップ１４の他端には回転エルボ１８が回転自在に取り付けられている。【選択図】    図１
2006265842.tif 000002
【特許請求の範囲】
【請求項１】
排水管接続口と点検掃除口とトラップ接続口とを有するます本体と、該ます本体のトラップ接続口に一端が回転自在に取り付けられる回転トラップとを備えた排水ますにおいて、該ます本体には回転脚部が回転自在に取り付けられており、該回転トラップと該回転脚部とは一緒に回転するようにされていることを特徴とする排水ます。
【請求項２】
該回転トラップの一端の中心軸は、該回転トラップの回転角度が大きくなる方向に該トラップ接続口の中心軸から偏心した位置に設定されている請求項１に記載の排水ます。
【請求項３】
該回転トラップの他端には回転エルボが回転自在に取り付けられている請求項１または請求項２に記載の排水ます。
【請求項４】
該ます本体はドロップますである請求項１〜請求項３のいずれかに記載の排水ます。
【発明の詳細な説明】
【技術分野】
【０００１】
本発明は、回転トラップと回転脚部とを有する排水ますに関する。
【背景技術】
【０００２】
従来、回転トラップ付きの排水ますとして、小口径ますの底部に、Ｕトラップのます用挿し口を回動自在に挿入するための若干大径のトラップ用受け口を形成し、該受け口と該挿し口との間に上下方向に設けたブッシュに挟まれたＯリングを介在させることにより、該小口径ますに対し該Ｕトラップを常時回動可能としたトラップますが提供されている（特許文献１参照）。
また従来、トラップ付きのドロップますとして、桝本体の下部にドロップ管用受口を形成し、該ドロップ管用受口にＵ字形状のトラップを取り付けた宅地等使用の桝が提供されている（特許文献２参照）。
【０００３】
【特許文献１】実開昭６３−１２１６７３号公報（第１頁、第１図）
【特許文献２】実開平１−６９８９０号公報（第１頁、第７図）
【発明の開示】
【発明が解決しようとする課題】
【０００４】
しかしながら上記従来のトラップますでは、小口径ますの底部の略中央、すなわちＵトラップの側方に、排水本管用受け口が形成され、該排水本管用受け口に排水本管の挿し口が挿入されて排水本管用流路が形成されるので、常時回動可能としたＵトラップであっても、該排水本管用流路によってＵトラップの回動角度がかなり制限されることとなり、そのため、配管の自由度が低下して、所望の配管を実現することができない場合があるという問題があった。更に、上記のトラップますでは、配管施工作業の作業性を向上させるために、該排水本管用受け口の下部に脚部を設けることも考えられるが、その場合には、該脚部によってもＵトラップの回動角度が制限されることとなり、配管の自由度が更に低下する場合があるという問題があった。
また上記従来の宅地等使用の桝では、桝本体の下部に脚部が設けられていないため、配管施工作業をする際に桝の姿勢が安定せず、配管施工作業の作業性が低下するおそれがあるという問題があった。
【課題を解決するための手段】
【０００５】
本発明は上記従来の課題を解決するための手段として、排水管接続口３と点検掃除口４とトラップ接続口５とを有するます本体２と、該ます本体２のトラップ接続口５に一端が回転自在に取り付けられる回転トラップ１４とを備えた排水ますにおいて、該ます本体２には回転脚部６が回転自在に取り付けられており、該回転トラップ１４と該回転脚部６とは一緒に回転するようにされている排水ます１を提供するものである。
該回転トラップ１４の一端の中心軸Ｘは、該回転トラップ１４の回転角度θが大きくなる方向に該トラップ接続口５の中心軸Ｙから偏心した位置に設定されていることが望ましい。
また、該回転トラップ１４の他端には回転エルボ１８が回転自在に取り付けられていることが望ましい。
更に、該ます本体はドロップます２であることが望ましい。
【発明の効果】
【０００６】
本発明の排水ます１では、ます本体２に取り付けられた回転トラップ１４と回転脚部６とが一緒に回転するようにされているので、該回転脚部６によって該回転トラップ１４の回転角度θが制限されることがなく、該回転トラップ１４の回転範囲を広く確保することができ、そのため、配管の自由度が向上し、所望の配管を実現することが可能となる。
また、本発明の排水ます１では、ます本体２に取り付けられた回転脚部６によってます本体２を支持することができるので、配管施工作業をする際に排水ます１の姿勢を安定させることができ、配管施工作業の作業性を向上させることができる。
【発明を実施するための最良の形態】
【０００７】
本発明を図１〜図７に示す一実施例によって説明する。
図１〜図６に示すように、排水ます１のます本体はドロップます２であり、該ドロップます２の側部には上流側の排水管（図示せず）が接続される一つの排水管接続口３が設けられており、該ドロップます２の上部にはドロップます２の内部の点検や掃除をするための点検掃除口４が設けられており、該ドロップます２の下部にはトラップ接続口５が設けられている。
【０００８】
該ドロップます２の下部には回転脚部６が取り付けられている。該回転脚部６の上部には偏心継手部７が形成されており、該偏心継手部７の上側受口８の外周面には環状の係止爪９が設けられている。一方、該トラップ接続口５の外周面には環状の係止リブ１０が設けられている。そして、該偏心継手部７の係止爪９が該トラップ接続口５の係止リブ１０に係止することによって、該回転脚部６は該偏心継手部７を介して該トラップ接続口５に回転自在に取り付けられている。
なお本実施例では、該トラップ接続口５の外周面と該偏心継手部７の上側受口８の内周面との間には、封止用のゴムリング１１が介在されており、更に、該ドロップます２の内部において該トラップ接続口５には掃除用の目皿１２が上側から嵌着されている（図１および図５参照）。
【０００９】
該回転脚部６の偏心継手部７の下側偏心受口１３にはＵ字形状の回転トラップ１４の一端が挿入されて接着固定されており、該回転トラップ１４の一端は、該回転脚部６の偏心継手部７を介して該ドロップます２のトラップ接続口５に回転自在に取り付けられている。このようにして、該回転トラップ１４と該回転脚部６とは一緒に回転するようにされている。
本実施例では、該回転トラップ１４の一端の中心軸Ｘは、該回転トラップ１４の回転角度θが大きくなる方向に、すなわち、該排水管接続口３とは反対側の方向に該トラップ接続口５の中心軸Ｙから偏心した位置に設定されている（図１、図２および図６参照）。
【００１０】
該回転脚部６には左右一対の支持脚部１５が設けられている。該回転脚部６の前後には切欠き部１６が設けられ、該回転脚部６は正面視略Ｕ字形状とされている（図３および図４参照）。
そして、該回転脚部６の偏心継手部７に接続された回転トラップ１４の一端側の略半分は、該回転脚部６の左右一対の支持脚部１５の間に収容された状態とされているとともに、該回転トラップ１４の他端側の略半分は、該回転脚部６の切欠き部１６から突出した状態とされている（図１および図２参照）。
なお本実施例では、該回転トラップ１４の下部には、該回転トラップ１４を支持するための支持脚部１７が設けられている。
【００１１】
該回転トラップ１４の他端には回転エルボ１８が取り付けられている。該回転トラップ１４の他端の外周面には環状の係止リブ１９が設けられており、一方、該回転エルボ１８の一端の受口２０には環状の係止爪２１が設けられている。そして、該回転エルボ１８の係止爪２１が該回転トラップ１４の係止リブ１９に係止することによって、回転エルボ１８の一端は該回転トラップ１４の他端に回転自在に取り付けられている。
なお本実施例では、該回転トラップ１４の他端の外周面と該回転エルボ１８の一端の内周面との間には封止用のゴムリング２２が介在されており、また、該回転エルボ１８の他端の受口２３には下流側の排水管（図示せず）が接続されている。
【００１２】
上記の排水ます１を用いて配管施工する場合には、図７に示すように、配管レイアウトに応じて、ドロップます２に対して回転トラップ１４と回転脚部６とを一緒に回転させるとともに、該回転トラップ１４に対して回転エルボ１８を回転させて、排水管接続口３と回転エルボ１８の向きを調整し、該排水管接続口３に上流側の排水管を接続するとともに、該回転エルボ１８の他端に下流側の排水管を接続する。
【００１３】
上記のように、本実施例の排水ます１では、ドロップます２の下部に取り付けられた回転トラップ１４と回転脚部６とが一緒に回転するようにされているので、該回転脚部６によって該回転トラップ１４の回転角度θが制限されることがなく、該回転トラップ１４の回転範囲を広く確保することができ、そのため、配管の自由度が向上し、所望の配管を実現することが可能となる。
また、本実施例の排水ます１では、ドロップます２の下部に取り付けられた回転脚部６の支持脚部１５によってドロップます２を支持することができるとともに、回転トラップ１４の下部に設けられた支持脚部１７によって回転トラップ１４を支持することができるので、配管施工作業をする際に排水ます１の姿勢を安定させることができ、配管施工作業の作業性を向上させることができる。
【００１４】
また、本実施例では、回転トラップ１４の一端の中心軸Ｘが、該回転トラップ１４の回転角度θが大きくなる方向にトラップ接続口５の中心軸Ｙから偏心した位置に設定されているので、該回転トラップ１４の回転範囲をより広く確保することができ、そのため、配管の自由度を更に向上させることができ、所望の配管を確実に実現することが可能となる。
【００１５】
更に、本実施例では、回転トラップ１４の他端に回転エルボ１８が回転自在に取り付けられているので、該回転トラップ１４を該ドロップます２に対して回転させるとともに、該回転エルボ１８を該回転トラップ１４の他端に対して回転させることによって（図７参照）、配管の自由度をより向上させることができ、所望の配管をより確実に実現することが可能となる。
【００１６】
また更に、本実施例では、該ます本体がドロップます２であり、排水管接続口３がドロップます２の側部に設けられるとともに、トラップ接続口５がドロップます２の下部に設けられるので、該排水管接続口３によって該回転トラップ１４の回転角度θがあまり制限されることがない。
【００１７】
以上、本発明の実施の形態を実施例により説明したが、本発明の範囲はこれらに限定されるものではなく、請求項に記載された範囲内において目的に応じて変更・変形することが可能である。
例えば、本実施例以外、図８〜図１０に示すように、ます本体２には排水管接続口３が二つ以上設けられていてもよく、その場合、回転トラップ１４の一端の中心軸Ｘをトラップ接続口５の中心軸Ｙから偏心させる方向は、該回転トラップ１４の回転角度θが大きくなる方向とすればよい。
また、本実施例では、トラップ接続口５がます本体であるドロップます２の下部（底部）に設けられたものとして説明したが、本実施例以外、トラップ接続口５はます本体２の側部に設けられていてもよい。すなわち、本発明の排水ますは、従来市販されている一般的なトラップ付き排水ますに広く適用することができる。
更に、本実施例では、回転脚部６と回転トラップ１４とが別体であるものとして説明したが、本実施例以外、回転脚部６と回転トラップ１４とは一体であってもよい。
【産業上の利用可能性】
【００１８】
本発明は、配管の自由度を向上させることができ、かつ、配管施工作業の作業性を向上させることができる排水ますとして、産業上利用することが出来る。
【図面の簡単な説明】
【００１９】
【図１】排水ますの説明側断面図である。
【図２】排水ますの側面図である。
【図３】排水ますの正面図である。
【図４】排水ますの背面図である。
【図５】排水ますの平面図である。
【図６】排水ますの底面図である。
【図７】回転トラップ（および回転脚部）と回転エルボを回転させた状態の排水ますの説明底面図である。
【図８】排水ますの他の実施例の底面図である。
【図９】排水ますの更に他の実施例の底面図である。
【図１０】排水ますのまた更に他の実施例の底面図である。
【符号の説明】
【００２０】
１  排水ます
２  ます本体（ドロップます）
３  排水管接続口
４  点検掃除口
５  トラップ接続口
６  回転脚部
１４  回転トラップ
１８  回転エルボ
Ｘ  回転トラップの中心軸
Ｙ  トラップ接続口の中心軸
θ  回転トラップの回転角度
【図１】
2006265842.tif 000003
【図２】
2006265842.tif 000004
【図３】
2006265842.tif 000005
【図４】
2006265842.tif 000006
【図５】
2006265842.tif 000007
【図６】
2006265842.tif 000008
【図７】
2006265842.tif 000009
【図８】
2006265842.tif 000010
【図９】
2006265842.tif 000011
【図１０】
2006265842.tif 000012